(57)【要約】【課題】搬送ユニットにおける蛇行および搬送ユニットと搬送ガイドとの間における感光材料の詰まりを防止して、写真処理装置本体部に対してスムーズに感光材料を受け渡すことが可能な記録材料供給ユニットを提供する。【解決手段】写真処理装置１にオプションとして接続される記録材料供給ユニット１１は、感光材料Ｐの搬送面に対する中継搬送ユニット８３の傾きを調整する第１調整部８４と、中継搬送ユニット８３に対する搬送ガイド９０の相対位置を調整する第２調整部９６とを備えている。【選択図】図９
2009096575.tif 000002
【特許請求の範囲】
【請求項１】
長尺の記録材料をロール状に巻回して格納するマガジンを筐体内に装填し、前記記録材料に対して画像を記録する本体部に前記記録材料を供給する記録材料供給ユニットであって、
前記記録材料を搬送する搬送ローラを有している搬送ユニットと、
前記記録材料を前記搬送ユニットから前記本体部へ受け渡す搬送ガイドと、
前記記録材料の搬送面に対する前記搬送ユニットの傾きを調整する第１調整部と、
前記搬送ユニットに対する前記搬送ガイドの相対位置を調整する第２調整部と、
を備えている記録材料供給ユニット。
【請求項２】
前記第１調整部は、前記記録材料の幅方向における前記搬送ユニットの一端と前記筐体とを固定する第１固定部と、前記記録材料の幅方向における前記搬送ユニットの他端の位置を前記筐体に対して位置決めする第１位置決め部と、を有している、
請求項１に記載の記録材料供給ユニット。
【請求項３】
前記搬送ガイドは、前記記録材料を搬送方向に誘導する第１ガイド板と第２ガイド板とを有しており、
前記第２調整部は、前記記録材料の幅方向における前記第１ガイド板の一端と前記第２ガイド板の一端とを固定する第２固定部と、前記記録材料の幅方向における前記第２ガイド板の他端の位置を前記第１ガイド板に対して位置決めする第２位置決め部と、を有している、
請求項１または２に記載の記録材料供給ユニット。
【請求項４】
前記搬送ユニットは、前記記録材料の搬送方向を変える屈曲部を有しており、
前記第１調整部は、前記搬送ユニットにおける最下流側の前記屈曲部に配置された前記搬送ローラにおける前記記録材料の搬送面に対する傾きを調整する、
請求項１から３のいずれか１項に記載の記録材料供給ユニット。
【請求項５】
前記第１調整部および前記第２調整部の少なくとも一方は、切断手段を挿入するための隙間を確保するように調整されている、
請求項１から４のいずれか１項に記載の記録材料供給ユニット。
【発明の詳細な説明】
【技術分野】
【０００１】
本発明は、長尺の記録材料をロール状に巻回して収容するマガジンを搭載し、写真処理装置本体に対して記録材料を供給する記録材料供給ユニットに関する。
【背景技術】
【０００２】
ネガフィルムやポジフィルム等の写真フィルム、ＣＤ−ＲＯＭやメモリカード等のメディア等から読み込んだ画像に基づいて記録材料（例えば、感光材料）を露光処理した後、この記録材料に現像処理を施すことで写真プリントを得る写真処理装置においては、装置本体内外に着脱自在に搭載されるマガジン内に長尺の記録材料をロール状に巻回して収容する方式が従来より採用されている。このような写真処理装置によれば、マガジンから記録材料を引き出して装置本体内に送り込む構成となっている。
【０００３】
そして、サービスサイズ、キャビネサイズ、Ｌサイズ、四切り、六切り等の種々のサイズの写真を一台の写真処理装置にて処理するために、通常は、幅サイズの異なる記録材料を収容したマガジンを複数個用意しておき、オーダーに応じて写真処理装置に搭載すべきマガジンに取り替える。最近の写真処理装置においては、写真処理装置本体部に対してマガジンを多数収容可能な記録材料供給ユニットを追加的に装備することができる。これにより、幅サイズの異なる記録材料を収容したマガジンを備えることができるので、マガジンを取り替える手間を省くことができるとともに、写真処理装置の処理能力のアップを図ることができる。
【０００４】
このような記録材料供給ユニットにおいては、マガジンから写真処理装置本体部までの搬送距離が長くなるため搬送時における記録材料の蛇行を防止する必要がある。例えば、特許文献１に示される記録材料供給ユニットでは、搬送ユニットの記録材料供給ユニットに対する配置角度を調整することによって、搬送経路に対する搬送ユニットの平行度を調整し、記録材料の蛇行を防止している。
【特許文献１】特開２００７−１６８９９１号公報（平成１９年７月５日公開）
【発明の開示】
【発明が解決しようとする課題】
【０００５】
しかしながら、上記従来の記録材料供給ユニットでは、以下に示すような問題点を有している。
すなわち、上記搬送ユニットの下流側に配置され写真処理装置本体部へ記録材料を受け渡す搬送ガイドの搬送ユニットに対する相対位置が変わってしまう。このため、搬送ユニットと搬送ガイドとの隙間が比較的大きくなった場合には、巻癖のある記録材料が搬送ユニットと搬送ガイドとの間で詰まるおそれがある。
【０００６】
本発明は、上記従来の課題を解決するもので、搬送ユニットにおける蛇行および搬送ユニットと搬送ガイドとの間における記録材料の詰まりを防止して、写真処理装置本体部に対してスムーズに記録材料を受け渡すことが可能な記録材料供給ユニットを提供することを目的とする。
【課題を解決するための手段】
【０００７】
第１の発明に係る記録材料供給ユニットは、長尺の記録材料をロール状に巻回して格納するマガジンを筐体内に装填し、記録材料に対して画像を記録する本体部に記録材料を供給する記録材料供給ユニットであって、搬送ユニットと、搬送ガイドと、第１調整部と、第２調整部とを備えている。搬送ユニットは、記録材料を搬送する搬送ローラを有している。搬送ガイドは、記録材料を搬送ユニットから本体部へ受け渡す。第１調整部は、記録材料の搬送面に対する搬送ユニットの傾きを調整する。第２調整部は、搬送ユニットに対する搬送ガイドの相対位置を調整する。
【０００８】
ここでは、記録材料の搬送面に対する搬送ユニットの傾きを調整する第１調整部と、搬送ユニットに対する搬送ガイドの相対位置を調整する第２調整部との両方を備えている。
ここで、記録材料に対して画像を記録する本体部に対して長尺の記録材料をロール状に巻回して格納するマガジンを多数収容可能な記録材料供給ユニットを追加的に装備することができる。こうした記録材料供給ユニットにおいては、マガジンから本体部までの搬送距離が一般的に長くなるため、搬送時における記録材料の蛇行を防止する必要がある。
【０００９】
従来の記録材料供給ユニットにおいては、記録材料供給ユニットに搭載される搬送ユニットの記録材料の搬送面に対する傾きを調整し、記録材料の搬送直進性を得ることによって記録材料の蛇行を解消している。ところが、搬送ユニットの上記傾きを調整することによって、搬送ユニットと搬送ガイドとの相対位置が変わってしまう。このため、例えば、搬送ユニットと搬送ガイドとの隙間が必要以上に大きくなった場合には、搬送ユニットと搬送ガイドとの間で巻癖のある記録材料が詰まり、本体部に対してスムーズに記録材料を受け渡すことができないおそれがある。
【００１０】
そこで、本発明の記録材料供給ユニットにおいては、記録材料の搬送面に対する搬送ユニットの傾きを調整する第１調整部だけでなく、搬送ユニットに対する搬送ガイドの相対位置を調整する第２調整部を備えている。
【００１１】
これにより、記録材料の蛇行を防止できるだけでなく、搬送ユニットに対する搬送ガイドの相対位置を調整し、搬送ユニットと搬送ガイドとの搬送方向における隙間の大きさを好適に維持することによって、搬送ユニットと搬送ガイドとの間における記録材料の詰まりを防止することができる。
この結果、写真処理装置本体部に対してスムーズに記録材料を受け渡すことが可能となる。
【００１２】
第２の発明に係る記録材料供給ユニットは、第１の発明に係る記録材料供給ユニットであって、第１調整部は、記録材料の幅方向における搬送ユニットの一端と筐体とを固定する第１固定部と、記録材料の幅方向における搬送ユニットの他端の位置を筐体に対して位置決めする第１位置決め部とを有している。
【００１３】
ここでは、第１固定部を、例えば、軸あるいは支点とし、記録材料の幅方向における搬送ユニットの一端とは反対側の自由に移動させることができる他端の位置を第１位置決め部において決めることによって、記録材料の搬送面に対する搬送ユニットの傾きを調整している。
【００１４】
なお、ここで言う筐体は、筐体にスライド可能に取り付けられている搬送ユニット等を取り付けるためのベース等も含まれる。
この結果、記録材料の搬送面に対する搬送ユニットの傾きを容易に調整することが可能となる。
【００１５】
第３の発明に係る記録材料供給ユニットは、第１または第２の発明に係る記録材料供給ユニットであって、搬送ガイドは、記録材料を搬送方向に誘導する第１ガイド板と第２ガイド板とを有しており、第２調整部は、記録材料の幅方向における第１ガイド板の一端と第２ガイド板の一端とを固定する第２固定部と、記録材料の幅方向における第２ガイド板の他端の位置を第１ガイド板に対して位置決めする第２位置決め部とを有している。
【００１６】
ここでは、第２固定部を、例えば、軸あるいは支点とし、記録材料の幅方向における搬送ユニットの一端とは反対側の自由に移動させることができる他端の位置を第２位置決め部において決めることによって、搬送ユニットに対する第２ガイド板、すなわち、搬送ガイドとの相対位置を調整している。
この結果、搬送ガイドの搬送ユニットに対する隙間の大きさを容易に調整することが可能となる。
【００１７】
第４の発明に係る記録材料供給ユニットは、第１から第３の発明のいずれか１つに係る記録材料供給ユニットであって、搬送ユニットは、記録材料の搬送方向を変える屈曲部を有しており、第１調整部は、搬送ユニットにおける最下流側の屈曲部に配置された搬送ローラにおける記録材料の搬送面に対する傾きを調整する。
【００１８】
ここでは、第１調整部は、搬送ユニットにおける最下流側の屈曲部に配置された搬送ローラのみ、記録材料の搬送面に対する傾きを調整する。
これにより、第１調整部における機構を簡素化することが可能となる。
【００１９】
第５の発明に係る記録材料供給ユニットは、第１から第４の発明のいずれか１つに係る記録材料供給ユニットであって、第１調整部および第２調整部の少なくとも一方は、切断手段を挿入するための隙間を確保するように調整されている。
【００２０】
ここでは、切断手段が挿入されることを前提として、搬送面に対する搬送ユニットの傾きおよび搬送ユニットに対する搬送ガイドの隙間の大きさの少なくとも一方が調整されている。
【００２１】
ここで、搬送ユニットと搬送ガイドとの間に記録材料が詰まった場合には、ユーザが、例えば、切断手段としてのカッタを挿入し、詰まった記録材料を切断することによって取り除いている。
【００２２】
これにより、搬送ユニットと搬送ガイドとの間において不慮の現象で記録材料が詰まった場合であっても、切断手段を用いて記録材料を取り除くことができる。
【発明の効果】
【００２３】
本発明に係る記録材料供給ユニットによれば、写真処理装置本体部に対してスムーズに記録材料を受け渡すことが可能となる。
【発明を実施するための最良の形態】
【００２４】
本発明の一実施形態に係る記録材料供給ユニット１１を含む写真処理装置１について、図１〜図９を用いて説明すれば以下の通りである。
［写真処理装置１全体の構成］
本発明の一実施形態に係る記録材料供給ユニット１１を含む写真処理装置１は、図１および図２に示すように、供給部７と、露光処理部２と、現像処理部３と、乾燥処理部４と、仕分部５と、制御ユニット６とを備えている。供給部７は、ロール状に巻回された長尺な感光材料（記録材料）Ｐを収容する第１〜第４マガジン（マガジン）７０ａ，７０ｂ，８０ａ，８０ｂを搭載し、露光処理部２に対して感光材料Ｐを供給する。露光処理部２は、画像データに基づいて感光材料Ｐを露光処理する。現像処理部３は、露光処理された感光材料Ｐを現像処理する。乾燥処理部４は、現像処理後の感光材料Ｐを乾燥処理する。仕分部５は、乾燥処理された感光材料Ｐを写真プリントとしてオーダー毎に仕分ける。制御ユニット６は、写真処理装置全体の制御を行うと共に、制御ユニット６で読み取った画像データや編集した画像データに基づいて露光処理等の制御を行う。
【００２５】
（供給部７）
供給部７は、図２，３に示すように、第１マガジン７０ａと、第２マガジン７０ｂと、第１アドバンスローラ７３と、第３マガジン８０ａと、第４マガジン８０ｂと、ガイド板１１４と、ガイド板１１５と、ガイド板１１６と、中継搬送ユニット（搬送ユニット）８３と、搬送ガイド９０と、第２アドバンスローラ７４と、を有している。第１マガジン７０ａと、第２マガジン７０ｂと、第１アドバンスローラ７３と、第２アドバンスローラ７４とは、後述する露光処理部２、現像処理部３および乾燥処理部４を搭載する本体ユニット（本体部）１０に配置されている。第３マガジン８０ａと、第４マガジン８０ｂと、ガイド板１１４と、ガイド板１１５と、ガイド板１１６と、中継搬送ユニット８３と、搬送ガイド９０とは、本体ユニット１０に対してオプションとして接続することが可能な記録材料供給ユニット１１に配置されている。
【００２６】
供給部７は、本体ユニット１０内の第１マガジン７０ａおよび第２マガジン７０ｂから供給される感光材料Ｐの搬送経路に対し、オプションとして接続される記録材料供給ユニット１１内の第３マガジン８０ａおよび第４マガジン８０ｂから供給される感光材料Ｐの搬送経路が本体ユニット１０内で合流するように構成されている。写真処理に際しては、何れか一つのマガジン７０ａ，７０ｂ，８０ａ，８０ｂから供給された感光材料Ｐが用いられる。
【００２７】
第１マガジン７０ａおよび第２マガジン７０ｂは、ロール状に巻回された長尺な感光材料Ｐを収容する。そして、第１マガジン７０ａおよび第２マガジン７０ｂは、本体ユニット１０内に取り付けられたレール（図示せず）に沿ってスライド可能なベース（図示せず）に載置されている。そして、ベースは、本体ユニット１０に対して感光材料Ｐにおける幅方向（本体ユニット１０の前面カバーを開く手前側）に引き出し可能、かつ、着脱可能に構成されている。第１マガジン７０ａおよび第２マガジン７０ｂ内には、回転自在に支持された芯体７１ａ，７１ｂと、芯体７１ａ，７１ｂに外挿されたロール状の感光材料Ｐと、感光材料Ｐを挟持して搬送する送り出しローラ対７２ａ，７２ｂとが配置されている。また、箱型に形成された第１マガジン７０ａおよび第２マガジン７０ｂの一角部には、送り出しローラ対７２ａ，７２ｂと対向する位置に感光材料Ｐを外部に送り出すための供給口（図示せず）が設けられている。
【００２８】
第１アドバンスローラ７３は、第１マガジン７０ａおよび第２マガジン７０ｂにおける送り出しローラ対７２ａ，７２ｂから送り出されてくる感光材料Ｐを巻き付けて方向転換をさせながら後述する露光処理部２に向けて搬送する。
【００２９】
第３マガジン８０ａおよび第４マガジン８０ｂは、ロール状に巻回された長尺な感光材料Ｐを収容する。そして、第３マガジン８０ａおよび第４マガジン８０ｂは、図３に示すように、記録材料供給ユニット１１内に取り付けられたレール１１２に沿ってスライド可能なベース１１０，１１１にそれぞれ載置されている。そして、ベース１１０，１１１は、記録材料供給ユニット１１から感光材料Ｐにおける幅方向（記録材料供給ユニット１１の前面カバーを開く手前側）に引き出し可能、かつ、着脱可能に構成されている。第３マガジン８０ａおよび第４マガジン８０ｂ内には、回転自在に支持された芯体８１ａ，８１ｂと、芯体８１ａ，８１ｂに外挿されたロール状の感光材料Ｐと、感光材料Ｐを挟持して搬送する送り出しローラ対８２ａ，８２ｂとが配置されている。また、箱型に形成された第３マガジン８０ａおよび第４マガジン８０ｂの一角部には、送り出しローラ対８２ａ，８２ｂと対向する位置に感光材料Ｐを外部に送り出すための供給口（図示せず）が設けられている。
【００３０】
第２アドバンスローラ７４は、第３マガジン８０ａおよび第４マガジン８０ｂにおける送り出しローラ対８２ａ，８２ｂから中継搬送ユニット８３を介して送り出されてくる感光材料Ｐを巻き付けて方向転換をさせた後、後述する露光処理部２に向けて搬送する。
【００３１】
なお、本体ユニット１０または記録材料供給ユニット１１内には、各マガジン７０ａ，７０ｂ，８０ａ，８０ｂに対応した別個の駆動源が設けられ、各マガジン７０ａ，７０ｂ，８０ａ，８０ｂ内の芯体７１ａ，７１ｂ，８１ａ，８１ｂは、それぞれ他のマガジン７０ａ，７０ｂ，８０ａ，８０ｂの芯体７１ａ，７１ｂ，８１ａ，８１ｂとは独立して駆動制御される。また、芯体７１ａ，７１ｂ，８１ａ，８１ｂおよびこれに対応する送り出しローラ対７２ａ，７２ｂ，８２ａ，８２ｂは、同期的に駆動するように機械的に連結されている。さらに、第１および第２アドバンスローラ７３，７４は、各マガジン７０ａ，７０ｂ，８０ａ，８０ｂとは異なるそれ独自の駆動源を有しており、各マガジン７０ａ，７０ｂ，８０ａ，８０ｂの芯体７１ａ，７１ｂ，８１ａ，８１ｂおよび送り出しローラ対７２ａ，７２ｂ，８２ａ，８２ｂと同期的に駆動するよう制御される。
【００３２】
中継搬送ユニット８３も同様に、独自の駆動源を有しており、各マガジン７０ａ，７０ｂ，８０ａ，８０ｂの芯体７１ａ，７１ｂ，８１ａ，８１ｂおよび送り出しローラ対７２ａ，７２ｂ，８２ａ，８２ｂや第１，第２アドバンスローラ７３，７４と同期的に駆動するよう制御される。
【００３３】
＜記録材料供給ユニット１１の詳細説明＞
ここでは、本体ユニット１０に対してオプションとして接続することが可能な記録材料供給ユニット１１について図３を用いて詳細に説明する。
【００３４】
記録材料供給ユニット１１は、ユニットを形成する筐体１２と、仕切板１１３によって区分けされた第３マガジン８０ａおよび第４マガジン８０ｂを収容するための第１室１２ａと、中継搬送ユニット８３を収容するための第２室１２ｂとを有している。第１室１２ａおよび第２室１２ｂは、それぞれ縦長の空間からなり、第２室１２ｂは本体ユニット１０に隣接し、第１室１２ａは第２室１２ｂに対して本体ユニット１０とは反対側に隣接する。
【００３５】
ここで、第３マガジン８０ａから第２アドバンスローラ７４までの感光材料Ｐの第１搬送経路について説明する。第１搬送経路は、一対のガイド板１１４，１１４と、一対のガイド板１１５，１１５と、第２アドバンスローラ７４とを含んでいる。
【００３６】
ガイド板１１４は、互いに対向するように水平方向に配置されている。そして、一対のガイド板１１４，１１４は、第３マガジン８０ａから送り出されてくる感光材料Ｐを第１室１２ａから第２室１２ｂへと誘導する。一対のガイド板１１４，１１４は、マガジン８０ａ，８０ｂからの感光材料Ｐの受け入れを確実にするために第３マガジン８０ａ側端がテーパ状に拡開している。
【００３７】
ガイド板１１５は、第２室１２ｂ内に、一対のガイド板１１４，１１４に隣接して配置されており、上流側の一対のガイド板１１４，１１４と同様、互いに対向するように水平方向に配置されている。そして、一対のガイド板１１５，１１５は、一対のガイド板１１４，１１４からの感光材料Ｐの受け入れを確実にするために、上流側端がテーパ状に拡開している。さらに、一対のガイド板１１５，１１５は、筐体１２の本体ユニット１０側の縦壁を貫通して第２アドバンスローラ７４側にまで延びている。これにより、第３マガジン８０ａから供給される感光材料Ｐは、第３マガジン８０ａの供給口から一対のガイド板１１４，１１４、一対のガイド板１１５，１１５を通り、第２アドバンスローラ７４まで導かれる。
【００３８】
第２アドバンスローラ７４（第１アドバンスローラ７３も同様）は、圧着ローラ７４ａ（本実施形態においては、周方向に離間した一対）が設けられている。第３マガジン８０ａから供給された感光材料Ｐは、第２アドバンスローラ７４および圧着ローラ７４ａ，７４ａに挟持されて方向転換されながら下流側に搬送される。
【００３９】
次に、第４マガジン８０ｂから第２アドバンスローラ７４までの感光材料Ｐの第２搬送経路について説明する。第２搬送経路は、一対のガイド板１１６と、中継搬送ユニット８３と、搬送ガイド９０と、第２アドバンスローラ７４とを含んでいる。
【００４０】
ガイド板１１６は、互いに対向するように水平方向に配置されている。そして、一対のガイド板１１６，１１６は、第４マガジン８０ｂから送り出されてくる感光材料Ｐを第１室１２ａから第２室１２ｂへと誘導する。一対のガイド板１１６，１１６は、第４マガジン８０ｂからの感光材料Ｐの受け入れを確実にするために第４マガジン８０ｂ側端がテーパ状に拡開している。
【００４１】
中継搬送ユニット８３は、図３，図４に示すように、第３、第４マガジン８０ａ、８０ｂのためのベース１１０，１１１と同様、仕切板１１３に取り付けられたレール１１２，１１２に沿ってスライド可能なベース２４６に取り付けられており、中継搬送ユニット８３は、記録材料供給ユニット１１の第２室１２ｂから感光材料Ｐにおける幅方向に引き出し可能である。そして、中継搬送ユニット８３は、一対のガイド板２４０，２４０と、第１ターンローラ（搬送ローラ）２４１と、第２ターンローラ（搬送ローラ）２４２と、幅規制ガイド２４４とを備えている。
【００４２】
ガイド板２４０は、一対のガイド板１１６，１１６の下流側に互いに対向するように水平方向に配置されている。そして、一対のガイド板２４０，２４０は、上流側の一対のガイド板１１６，１１６からの感光材料Ｐの受け入れを確実にするために、上流側端がテーパ状に拡開している。
【００４３】
第１ターンローラ２４１は、一対のガイド板２４０，２４０の下流側端の近傍に配置されている。第２ターンローラ２４２は、第１ターンローラ２４１の下流側に第１ターンローラ２４１と適当な間隔を有して配置されている。第１および第２ターンローラ２４１，２４２は、共通接線が垂直となるよう配置されている。この結果、第４マガジン８０ｂから供給された感光材料Ｐは、一対のガイド板１１６，１１６、一対のガイド板２４０，２４０を通り、第１ターンローラ２４１に導かれ、直角に方向転換されながら下方に向かって搬送される。そして、感光材料Ｐは、第２ターンローラ２４２にて再度方向転換されながら第２アドバンスローラ７４に向けて斜めに（即ち、第３マガジン８０ａからの感光材料Ｐの搬送経路に対して傾斜した状態で）搬送される。
【００４４】
ここで、第１ターンローラ２４１においては、圧着ローラ（搬送ローラ）２４１ａ（本実施形態においては、それぞれ周方向に離間した一対）が配置されている。そして、第４マガジン８０ｂからの感光材料Ｐは、第１ターンローラ２４１および圧着ローラ２４１ａ，２４１ａに挟持されて方向転換されながら下流側に搬送される。一対の圧着ローラ２４１ａ，２４１ａは、長尺な支持部材２４３に回転自在に支持されており、この支持部材２４３を第１ターンローラ２４１に対して相対的に離間させることで、圧着ローラ２４１ａによるターンローラ２４１の圧着状態を解除することができる。本実施形態においては、図４に示すように、支持部材２４３が中継搬送ユニット８３に対して着脱自在となっていることで、上述の相対的離間が実現されている。また、例えば、支持部材２４３を中継搬送ユニット８３に回転自在に取り付け、支持部材２４３をターンローラ２４１から離間させるように回転させることによって、上述の相対的離間を実現するようにしてもよい。
【００４５】
一方、第２ターンローラ２４２においては、圧着ローラではなく方向転換をサポートするためのサブローラ（搬送ローラ）２４２ａ（本実施形態においては、それぞれ周方向に離間した一対）が、第２ターンローラ２４２の周面と適当な間隔を有して設けられている。
【００４６】
幅規制ガイド２４４は、第１および第２ターンローラ２４１，２４２間に配置されており、搬送される感光材料Ｐの蛇行を防止する。幅規制ガイド２４４は、第１および第２ターンローラ２４１，２４２間の感光材料Ｐの両側縁に沿って配置される一対から構成される。そして、幅規制ガイド２４４は、それぞれに形成された縦のスリット２４４ａ，２４４ａに感光材料Ｐの側縁を当接させることで、搬送される感光材料Ｐの幅規制を行う。なお、一対の幅規制ガイド２４４は、互いに逆ネジ部を有するボールネジ２４５に螺合されている。このため、ボールネジ２４５を回転制御することで、一対の幅規制ガイド２４４の間隔を、搬送される感光材料Ｐの幅寸法に応じて調整することができる。なお、第４マガジン８０ｂがセットされる際に、感光材料Ｐの幅寸法を制御ユニット６に入力しておくので、感光材料Ｐの幅寸法の情報は、制御ユニット６から自動的に取得される。従って、第４マガジン８０ｂの選択に伴い、一対の幅規制ガイド２４４の間隔が自動的に調整される。
【００４７】
搬送ガイド９０は、中継搬送ユニット８３からの感光材料Ｐを第２アドバンスローラ７４に円滑に導くために設けられており、第２ターンローラ２４２の下流側に配置されている。搬送ガイド９０は、上流側端が第２ターンローラ２４２の近傍にあり、筐体１２の本体ユニット１０側の縦壁を斜めに貫通して第２アドバンスローラ７４側にまで延びる。
【００４８】
第２アドバンスローラ７４は、圧着ローラ７４ａ（本実施形態においては、周方向に離間した一対）が設けられている。第４マガジン８０ｂから供給された感光材料Ｐは、第２アドバンスローラ７４および圧着ローラ７４ａ，７４ａに挟持されて方向転換されながら下流側に搬送される。
【００４９】
以上に示したように、第３マガジン８０ａからの感光材料Ｐは、一対のガイド板１１５，１１５間を通って記録材料供給ユニット１１から本体ユニット１０に搬送され、第２アドバンスローラ７４に導かれる。また、第４マガジン８０ｂからの感光材料Ｐは、搬送ガイド９０を通って記録材料供給ユニット１１から本体ユニット１０に搬送され、第２アドバンスローラ７４に導かれる。なお、ガイド板１１５および搬送ガイド９０は、当然に遮光されており（例えば、図９に示す遮光部９５）、感光材料Ｐが外部光によって不用意に露光されることはない。
【００５０】
＜中継搬送ユニット８３の詳細説明＞
ここでは、感光材料Ｐの搬送面に対する中継搬送ユニット８３の傾きを調整する第１調整部８４について詳細に説明する。
【００５１】
第１調整部８４は、図５（ａ），（ｂ）に示すように、アングル（第１固定部）２４７と、受け座（第１位置決め部）２４８と、当て座（第１位置決め部）２４９と、締結部材（第１位置決め部）（図示せず）を有している。そして、中継搬送ユニット８３は、中継搬送ユニット８３の一側面（搬送ユニットの一端）８３ａが、ベース２４６に対してＬ字状のアングル２４７を介して固定される。また、中継搬送ユニット８３は、図５（ｂ）に示すように、中継搬送ユニット８３の他側面（搬送ユニットの他端）８３ｂが、ベース２４６に取り付けられた受け座２４８に対して中継搬送ユニット８３の他側面８３ｂに取り付けられた当て座２４９を介して固定される。
【００５２】
より詳しくは、アングル２４７は、互いに直交する第１面２４７ａおよび第２面２４７ｂを有し、第１面２４７ａがベース２４６面に固定されると共に、第２面２４７ｂが中継搬送ユニット８３の一側面８３ａに固定される。これにより、中継搬送ユニット８３の一側面８３ａがベース２４６に固定される。一方、受け座２４８は、互いに直交する第１面２４８ａおよび第２面２４８ｂを有し、第２面２４８ｂがベース２４６面に固定されている。そして、受け座２４８における第１面２４８ａと、当て座２４９における当接面２４９ａとは互いに当接させ、各当接面を挿通する締結部材によって固定することにより、ベース２４６に対して中継搬送ユニット８３の他側面を位置決めすることができる。
【００５３】
締結部材は、例えば、ボルトとナットであり、受け座２４８の当接面および当て座２４９の当接面には、図４に示すように、締結部材を挿通するための孔２４８ｃ，２４９ｃが形成されている。そして、少なくとも一方の孔（本実施形態においては、中継搬送ユニット８３の当て座２４９側の孔２４９ｃ）は、長孔、より詳しくは、搬送される感光材料Ｐの搬送方向と直交する方向Ａに沿って延びる長孔となっている。
【００５４】
アングル２４７は、弾性を有しているので、第１面２４７ａおよび第２面２４７ｂの角度変更が微小範囲で可能となっている。従って、中継搬送ユニット８３は、一側面８３ａのアングル２４７を軸として、長孔２４９ｃ内において他側面８３ｂの締結位置を調整（即ち、受け座２４８に対する当て座２４９の方向Ａの位置を調整）することで、感光材料Ｐの搬送面に対する傾きを調整することができる。これにより、搬送経路に対する中継搬送ユニット８３の平行度の調整、すなわち、第２アドバンスローラ７４に対する第１および第２ターンローラ２４１，２４２の平行度の調整が可能となる。
【００５５】
＜搬送ガイド９０の詳細説明＞
ここでは、中継搬送ユニット８３に対する搬送ガイド９０の相対位置を調整する第２調整部９６について詳細に説明する。
【００５６】
第２調整部９６は、ピン（第２固定部）９４ｃと、第１ガイド板９１における当接面（第２位置決め部）９１ｄと、第２ガイド板９２における当接面（第２位置決め部）９２ｄと、締結部材（図示せず）を有している。
【００５７】
搬送ガイド９０は、図７，図８に示すように、第１ガイド板９１と、第２ガイド板９２とを備えており、取り付け金具９３を介して筐体１２と第１ガイド板９１とが取り付けられている。
【００５８】
第１ガイド板９１は、図８，図９に示すように、互いに対向する一対のガイド板９１ａ，９１ｂと、第１ガイド板９１における一端側に形成されている当接面９１ｃと、他端側に形成されている当接面９１ｄとを有している。第１ガイド板９１は、互いに対向する一対のガイド板９１ａ，９１ｂによって搬送経路を形成することによって、所望の方向に感光材料Ｐを誘導している。また、一対のガイド板９１ａ，９１ｂは、上流側の第２ガイド板９２からの感光材料Ｐの受け入れを確実にするために、上流側端がテーパ状に拡開している。
【００５９】
第２ガイド板９２は、図８，図９に示すように、互いに対向する一対のガイド板９２ａ，９２ｂと、第２ガイド板９２における一端側に形成されている当接面９２ｃと、他端側に形成される当接面９２ｄとを有している。第２ガイド板９２は、互いに対向する一対のガイド板９２ａ，９２ｂによって搬送経路を形成することによって、所望の方向に感光材料Ｐを誘導している。また、一対のガイド板９２ａ，９２ｂは、上流側の中継搬送ユニット８３からの感光材料Ｐの受け入れを確実にするために、上流側端がテーパ状に拡開している。
【００６０】
第１ガイド板９１および第２ガイド板９２における一端側においては、当接面９１ｃと９２ｃとが互いに当接し、一つのピン９４ｃによって軸固定されている。
第１ガイド板９１および第２ガイド板９２における他端側においては、当接面９１ｄと９２ｄとが互いに当接し、一つのピン９４ｄによって軸固定されている。さらに、当接面９１ｄ，９２ｄには、図９に示すように、締結部材（図示せず）を挿通するための孔９１ｅ，９２ｅが形成されている。そして、少なくとも一方の孔（本実施形態においては、第２ガイド板９２側の孔９２ｅ）は、長孔、より詳しくは、第１調整部８４による中継搬送ユニット８３の調整方向と略同一方向Ｂに沿って延びる長孔となっている。
【００６１】
これにより、ピン９４ｃを支点として、長孔９２ｅ内において他端側の当接面９２ｃの締結位置を調整（即ち、当接面９１ｃに対する当接面９２ｃの方向Ｂの位置を調整）することで、中継搬送ユニット８３に対する第２ガイド板９２、すなわち、搬送ガイド９０の相対位置（図９に示すＣ方向）を調整することができる。この結果、感光材料Ｐの搬送面に対する中継搬送ユニット８３の傾きを調整した場合であっても、中継搬送ユニット８３と搬送ガイド９０との隙間を好適に調整することができる。本実施形態においては、不慮の現象によって詰まった場合に感光材料Ｐを切断するためのマニュアルカッタ（切断手段）を挿入できるような隙間Ｇが、中継搬送ユニット８３と搬送ガイド９０との間に確保されている。
【００６２】
（露光処理部２）
露光処理部２は、図２に示すように、供給部７から供給される感光材料Ｐを所定の長さで切断してカットシートにする切断装置２１と、切断装置２１で切断された感光材料Ｐを露光処理する露光ユニット２２と、露光処理部２内の各構成間で感光材料Ｐを搬送し、供給部７から供給された感光材料Ｐを下流側（現像処理部３）に搬送するための搬送系２３とを備えている。
【００６３】
露光ユニット２２は、搬送系２３において搬送される感光材料Ｐの乳剤面を露光する露光エンジン２２１を有している。露光エンジン２２１は、レーザー光源（図示しない）や、レーザー光源からのレーザー光を露光ポイントＡにまで導く光学系（例えば、ポリゴンミラーやレンズ、図示しない）等を備えた、いわゆるレーザーエンジンが採用されている。なお、露光エンジン２２１には、ハロゲンランプ等からなる光源と、光源に光ファイバー束を介して接続された光シャッター（ＰＬＺＴ）とで構成されたもの等、その他のいわゆるデジタル露光エンジンであってもよい。
【００６４】
搬送系２３は、露光処理部２内の搬送経路に対して随所に配置され、かつ、感光材料Ｐを圧着搬送（ローラ搬送）する複数のローラ対２３２…と、感光材料Ｐを圧着可能、かつ、搬送経路に沿って往復動可能に構成されたスライド搬送体２３３，２３４との組合せで構成されている。スライド搬送体２３３，２３４は、ローラ対２３２，２３２間（本実施形態においては、切断装置２１の下流側で略鉛直方向に形成された搬送経路上と、露光ユニット２２（露光ポイントＡ）の下流側で略水平方向に形成された搬送経路上と）に設けられており、上流側のローラ対２３２から送られてくる感光材料Ｐを受け取って、感光材料Ｐを下流側のローラ対２３２に送り出すように構成されている。
【００６５】
（現像処理部３）
現像処理部３は、露光処理部２から送り込まれてくる感光材料Ｐを現像する。そして、現像処理部３は、図２に示すように、現像処理液が貯留される現像処理液槽３０と、現像処理液槽３０内の現像処理液に対して感光材料Ｐを浸漬して引き上げる動作を繰り返すように感光材料Ｐを搬送する搬送系３２とを備えている。現像処理液槽３０は、複数の液槽３０ａ，３０ｂ…が横並びに配置されている。各液槽３０ａ，３０ｂ…には、感光材料Ｐに対して現像処理、漂白処理、定着処理、安定処理を行うための現像処理液が貯留されている。すなわち、各液槽３０ａ，３０ｂ…には、上流側から順に現像液（ＣＤ）、漂白・定着液（ＢＦ）、安定液（ＳＴＢ）、洗浄液が貯留されている。搬送系３２は、現像処理液槽３０（各液槽３０ａ，３０ｂ…）の現像処理液（現像液、漂白・定着液、安定液、洗浄液）中で感光材料Ｐを搬送する液中搬送系３２ａと、各液槽３０ａ，３０ｂ…から引き上げられた感光材料Ｐを下流側で隣接する液槽３０ｂ…内に搬送する外部搬送系３２ｂとで構成されており、各搬送系３２ａ，３２ｂのそれぞれは、複数のローラ対により構成されている。
【００６６】
（乾燥処理部４）
乾燥処理部４は、図２に示すように、上流側の現像処理部３から送り込まれる感光材料Ｐを搬送する搬送系４０と、搬送系４０で搬送される感光材料Ｐを乾燥させる乾燥装置４１とを備えている。搬送系４０は、現像処理部３から送り込まれてきた感光材料Ｐの搬送経路を方向転換しつつ搬送し、感光材料Ｐに対する乾燥処理に必要な距離（実際には、乾燥処理に必要な時間）を担保するようになっている。
【００６７】
（仕分部５）
仕分部５は、図１，図２に示すように、小判サイズの感光材料Ｐ（写真プリント）を本体ユニット１０外に排出する第１排出口４３４と、大判サイズの感光材料Ｐ（写真プリント）を排出する第２排出口４３５）と、第１排出口４３４から排出される写真プリントを搬送するコンベア５０と、コンベア５０で搬送されてくる写真プリントをオーダー毎に仕分ける仕分機構５１とを備えている。そして、仕分機構５１は、コンベア５０で搬送されてくる写真プリントを受けるための複数のトレー５１ａ，５１ｂ…と、複数のトレー５１ａ，５１ｂ…のうち、所定（空）のトレー５１ａ，５１ｂ…をコンベア５０から写真プリントを受け取り可能な位置に移動させるための駆動手段（図示しない）とで構成され、トレー５１ａ，５１ｂ…の配置を適宜変更することで、写真プリントをオーダー毎にそれぞれのトレー５１ａ，５１ｂ…に排出できるようになっている。
【００６８】
（制御ユニット６）
制御ユニット６は、写真処置装置１全体の制御を行う。そして、制御ユニット６は、図１に示すように、各処理の処理状況や操作案内等を表示するモニター６０と、モニター６０の表示に基づいて入力操作を行うための入力部６１と、露光処理部２で感光材料Ｐに露光処理を行うための画像データを読み取る読取部６２と、露光処理を行うに際し、各種処理や写真処理装置１の実質的な制御を行う演算処理装置６３とを備えている。
【００６９】
モニター６０には、ブラウン管モニターあるいは液晶モニターを採用することができ、本実施形態においては、ブラウン管モニターが採用されている。入力部６１には、キーボード６１ａとマウス６１ｂとが採用されている。また、読取部６２には、帯状のフィルムＦに形成された複数の駒画像を読み取るフィルムスキャナ６２ａ、ＣＤ−Ｒ／ＲＷやメモリカード等の各種メディアからデータ（例えば、画像データ）を読み込むメディアドライブ６２ｂが採用されている。読取部６２は、演算処理装置６３に電気的に接続され、演算処理装置６３に読み取った各画像データを伝送するようになっている。演算処理装置６３は、実質的な演算を行うＣＰＵ（図示せず）、ＣＰＵに演算を実行させるためのソフトウェア等が記憶されるＲＡＭ（図示せず）やＲＯＭ（図示せず）等から構成されている。また、演算処理装置６３は、Ｉ／Ｏインターフェース（図示せず）を介して、読取部６２の他に、モニター６０や入力部６１に接続されている。
【００７０】
［写真処理装置１の特徴］
（１）
本実施形態の写真処理装置１にオプションとして接続される記録材料供給ユニット１１は、感光材料Ｐの搬送面に対する中継搬送ユニット８３の傾きを調整する第１調整部８４と、中継搬送ユニット８３に対する搬送ガイド９０の相対位置を調整する第２調整部９６とを備えている。
これにより、搬送経路に対する中継搬送ユニット８３の平行度の調整が可能となる。また、中継搬送ユニット８３と搬送ガイド９０との隙間を好適に調整することが可能となる。
【００７１】
この結果、中継搬送ユニット８３における感光材料Ｐの蛇行と、中継搬送ユニット８３と搬送ガイド９０との間における感光材料Ｐの詰まりとを防止して、本体ユニット１０に対してスムーズに感光材料Ｐを受け渡すことを可能としている。
【００７２】
（２）
本実施形態の記録材料供給ユニット１１における第１調整部８４は、アングル２４７と、受け座２４８と、当て座２４９と、締結部材とを有している。
これにより、感光材料Ｐの搬送面に対する中継搬送ユニット８３の傾きを容易に調整することを可能としている。
【００７３】
（３）
本実施形態の記録材料供給ユニット１１における第２調整部９６は、ピン９４ｃと、第１ガイド板９１における当接面９１ｄと、第２ガイド板９２における当接面９２ｄと、締結部材とを有している。
これにより、搬送ガイド９０と中継搬送ユニット８３との隙間の大きさを容易に調整することを可能としている。
【００７４】
（４）
本実施形態の記録材料供給ユニット１１において、第２調整部９６は、マニュアルカッタを挿入するための隙間Ｇを確保するように調整されている。
これにより、中継搬送ユニット８３と搬送ガイド９０との間において不慮の現象で感光材料Ｐが詰まった場合であっても、感光材料Ｐをマニュアルカッタで切断し、容易に取り除くことを可能としている。
【００７５】
［他の実施形態］
以上、本発明の一実施形態について説明したが、本発明は上記実施形態に限定されるものではなく、発明の要旨を逸脱しない範囲で種々の変更が可能である。
【００７６】
（Ａ）
上記実施形態の写真処理装置１にオプションとして接続される記録材料供給ユニット１１においては、感光材料Ｐの搬送面に対する中継搬送ユニット８３の傾きを調整するための第１調整部８４として、アングル２４７と受け座２４８と当て座２４９と締結部材とを採用した例を挙げて説明した。しかし、本発明はこれに限定されるものではない。
【００７７】
第１調整部を形成するための構成として、例えば、アングル２４７に代えて、ベース２４６と中継搬送ユニット８３とを一体的に形成してもよいし、蝶番等の軸支可能な部材を使用して、ベース２４６と中継搬送ユニット８３とを固定してもよい。また、受け座２４８と当て座２４９に代えて、例えば、搬送ユニットに形成された凸部と筐体に形成された溝部とを嵌合させることによって、搬送ユニットの位置決めを行ってもよい。
【００７８】
また、上記実施形態の写真処理装置１にオプションとして接続される記録材料供給ユニット１１においては、搬送ガイド９０と中継搬送ユニット８３との隙間の大きさを調整するための第２調整部９６として、ピン９４ｃと、第１ガイド板９１における当接面９１ｄと、第２ガイド板９２における当接面９２ｄと、締結部材とを採用した例を挙げて説明した。しかし、第２調整部９６においても、第１調整部８４と同様に、これに限定されるものではない。
【００７９】
（Ｂ）
上記実施形態の記録材料供給ユニット１１においては、搬送ガイド９０が、感光材料Ｐを搬送方向に誘導する第１ガイド板９１と第２ガイド板９２とによって構成されている例を挙げて説明した。しかし、本発明はこれに限定されるものではない。
【００８０】
例えば、取り付け部材を介して筐体１２に取り付けられた一つのガイド板に対して、搬送ガイドと中継搬送ユニット８３との隙間の大きさを調整するための第２調整部を配置してもよい。
【００８１】
（Ｃ）
上記実施形態の記録材料供給ユニット１１における搬送ガイド９０においては、第１ガイド板９１が互いに対向して配置されている例を挙げて説明した。しかし、本発明はこれに限定されるものではない。
【００８２】
例えば、１枚のガイド板であっても、巻癖がなく、こしが強い感光材料においては、感光材材料を所望の方向に誘導することが可能である。
また、第２ガイド板９２においても同様のことが言える。
【００８３】
（Ｄ）
上記実施形態の記録材料供給ユニット１１においては、中継搬送ユニット８３と搬送ガイド９０との間にマニュアルカッタを挿入するための隙間Ｇが確保されている例を挙げて説明した。しかし、本発明はこれに限定されるものではない。
【００８４】
例えば、マニュアルカッタを挿入するための隙間Ｇがない場合であっても、中継搬送ユニット８３における感光材料Ｐの蛇行と、中継搬送ユニット８３と搬送ガイド９０との間における感光材料Ｐの詰まりとを防止して、本体ユニット１０に対してスムーズに感光材料Ｐを受け渡すことが可能である。
【００８５】
（Ｅ）
上記実施形態の記録材料供給ユニット１１においては、搬送ガイド９０が記録材料供給ユニット１１の筐体１２に取り付けられている例を挙げて説明した。しかし、本発明はこれに限定されるものではない。
【００８６】
例えば、搬送ユニットが本体ユニット側に取り付けられており、第２調整部によって中継搬送ユニットとの相対位置を調整することができれば、上記の実施形態に係る写真処理装置１と同様の効果を得ることができる。なお、搬送ガイドが本体ユニット側に取り付けられる場合であっても、搬送ガイドは、記録材料供給ユニットを追加装着した場合にのみ取り付けられるので、記録材料供給ユニットを構成する部材と考えることができる。
【００８７】
（Ｆ）
上記実施形態の記録材料供給ユニット１１においては、第１調整部８４によって感光材料Ｐの搬送面に対する中継搬送ユニット８３の傾きを調整する例を挙げて説明した。しかし、本発明はこれに限定されるものではない。
例えば、第１調整部は、中継搬送ユニット８３における最下流側の屈曲部に配置された搬送ローラの搬送面に対する傾きを調整してもよい。
【００８８】
（Ｇ）
上記実施形態の記録材料供給ユニット１１においては、中継搬送ユニット８３がユニット化され、スライド可能なベース２４６に取り付けられている例を挙げて説明した。しかし、本発明はこれに限定されるものではない。
【００８９】
例えば、ベース２４６は、記録材料供給ユニットに対して固定であってもよいし、また、記録材料供給ユニットに直接固定されてもよい。この観点から、ベース２４６は、筐体１２の一部という捉え方ができる。
【産業上の利用可能性】
【００９０】
本発明によれば、感光材料の蛇行と詰まりとを防止してスムーズに感光材料を搬送することが可能となるため、例えば、インクジェット方式等のプリンタ装置や、印刷機等へ広く適用することが可能である。
【図面の簡単な説明】
【００９１】
【図１】本発明の一実施形態に係る記録材料供給ユニットを含む写真処理装置の外観図。
【図２】図１の写真処理装置の断面図。
【図３】図１の写真処理装置に含まれる記録材料供給ユニットの断面図。
【図４】図１の写真処理装置に含まれる記録材料供給ユニットの内部斜視図。
【図５】（ａ）、（ｂ）は、図４の記録材料供給ユニットに含まれる中継搬送ユニットの一側面側斜視図、他側面側斜視図。
【図６】図４の記録材料供給ユニットに含まれる中継搬送ユニットの他側面側を示した拡大構成図。
【図７】図４の記録材料供給ユニットに含まれる搬送ガイド周辺の拡大斜視図。
【図８】図４の記録材料供給ユニットに含まれる搬送ガイドの斜視図。
【図９】図４の記録材料供給ユニットに含まれる搬送ガイドの一端側拡大斜視図。
【符号の説明】
【００９２】
１        写真処置装置
２        露光処理部
３        現像処理部
４        乾燥処理部
５        仕分部
６        制御ユニット
７        供給部
１０      本体ユニット（本体部）
１１      記録材料供給ユニット
１２      筐体
１２ａ    第１室
１２ｂ    第２室
７０ａ    第１マガジン（マガジン）
７０ｂ    第２マガジン（マガジン）
７１ａ，７１ｂ    芯体
７２ａ，７２ｂ    送り出しローラ対
７３      第１アドバンスローラ
７４      第２アドバンスローラ
７４ａ    圧着ローラ
８０ａ    第３マガジン（マガジン）
８０ｂ    第４マガジン（マガジン）
８１ａ，８１ｂ    芯体
８２ａ，８２ｂ    送り出しローラ対
８３      中継搬送ユニット（搬送ユニット）
８３ａ    一側面
８３ｂ    他側面
８４      第１調整部
９０      搬送ガイド
９１      第１ガイド板
９１ａ，９１ｂ    ガイド板
９１ｃ，９１ｄ    当接面
９１ｅ    孔
９２      第２ガイド板
９２ａ，９２ｂ    ガイド板
９２ｃ，９２ｄ    当接面
９２ｅ    孔
９３      取り付け金具
９４ｃ，９４ｄ    ピン
９５      遮光部
９６      第２調整部
１１０，１１１    ベース
１１２    レール
１１３    仕切板
１１４，１１５，１１６    ガイド板
２４０    ガイド板
２４１    第１ターンローラ（搬送ローラ）
２４１ａ  圧着ローラ（搬送ローラ）
２４２    第２ターンローラ（搬送ローラ）
２４２ａ  サブローラ（搬送ローラ）
２４３    支持部材
２４４    幅規制ガイド
２４４ａ  スリット
２４５    ボールネジ
２４６    ベース
２４７    アングル（第１固定部）
２４７ａ  第１面
２４７ｂ  第２面
２４８    受け座（第１位置決め部）
２４８ｃ  孔
２４９    当て座（第１位置決め部）
２４９ａ  当接面
２４９ｃ  孔
Ｐ        感光材料（記録材料）
【図１】
2009096575.tif 000003
【図２】
2009096575.tif 000004
【図３】
2009096575.tif 000005
【図４】
2009096575.tif 000006
【図５】
2009096575.tif 000007
【図６】
2009096575.tif 000008
【図７】
2009096575.tif 000009
【図８】
2009096575.tif 000010
【図９】
2009096575.tif 000011